(57)【特許請求の範囲】
【請求項１】
合成樹脂により形成され、容器の口部外周の凹条に係止する突条を有する筒部及び前記容器の内容品を注出する前記筒部より小径の注出筒を有し、該注出筒の内側に前記内容品の流通を遮断する遮断壁を有し、かつ該遮断壁にスコアが形成され、該スコアの内側上部にプルリングが設けられている注出栓を有するキャップにおいて、
前記筒部の縦方向に筒部の上端部に続く筒部の上壁に達する二条の弱化線を形成して裂き取り部を構成し、該裂き取り部の上端部に脚部を立設し、該脚部に前記注出筒の外側に同心状に設けた把持部を一体に設けるとともに、前記筒部の上壁まで水平方向に延設した二条の弱化線を、把持部のつけ根の内側に対応する部分で連接し、更に前記注出筒及び把持部の両方を覆う外蓋を設けたことを特徴とする分別回収の容易なキャップ。
【請求項２】
把持部は裂き取り部の上端部の両側に延設し注出栓を囲んで括弧状に設けられている請求項１記載の分別回収の容易なキャップ。
【請求項３】
把持部は裂き取り部の上端部の片側に延設し、注出筒を囲んで括弧状に設けられている請求項１記載の分別回収の容易なキャップ。
【請求項４】
把持部は注出栓を囲んでリング状に設けられている請求項１記載の分別回収の容易なキャップ。
【請求項５】
把持部は裂き取り部の上端部に脚部を介して設けられている請求項１、２、３、又は４記載の分別回収の容易なキャップ。
【請求項６】
二条の弱化線はそれぞれ筒部の上端部から該筒部の上壁に達し、水平方向に延設して把持部を支持する脚部のつけ根の内側に対応する部分において連接されている請求項１、２、３、４又は５記載の分別回収の容易なキャップ。
【請求項７】
合成樹脂により形成され、容器の口部外周の凹条に係止する突条を有する筒部の内側に注出筒を設け、該注出筒にプルリングの付いた遮断壁を設けたキャップにおいて；
前記筒部に縦方向弱化線を設け、該縦方向弱化線を前記筒部の上端部の上壁まで延設し、該筒部の上壁に形成した周方向弱化線と連接して分離基端部に形成し、該筒部の分離基端部の上端に、前記注出筒の外側に同心状に配設された把持部の円弧状の脚部を連結し、また、前記縦方向弱化線及び周方向弱化線が筒体の上端部に設けた窓部を介して連続していることを特徴とする分別回収の容易なキャップ。
【請求項８】
周方向弱化線が、半円状であることを特徴とする請求項７記載の分別回収容易なキャップ。
【請求項９】
前記把持部が、断面台形状に形成され、その内表面に滑り止め手段が設けられていることを特徴とする請求項７記載の分別回収の容易なキャップ。
【請求項１０】
前記把持部が、筒部の外周と注出筒の外周との間に配設されたリング状体であることを特徴とする請求項７記載の分別回収の容易なキャップ。
【請求項１１】
リング状体が、その正面に筒部と同心状の摘み片を備えていることを特徴とする請求項１０記載の分別回収の容易なキャップ。
【請求項１２】
リング状体が、脚部を介して前記筒部の分離基端部上端に連結されていることを特徴とする請求項１０記載の分別回収の容易なキャップ。
【請求項１３】
リング状体の正面側が、ブリッジを介して上壁に止められていることを特徴とする請求項１０記載の分別回収の容易なキャップ。
【発明の詳細な説明】
【０００１】
【発明の属する技術分野】
この発明は瓶等の容器の口部に設けて用いる、分別回収の容易なキャップに関するものである。
【０００２】
【従来の技術】
現在広く用いられている注出栓及び外蓋から成る容器のキャップは一般に合成樹脂により形成され、注出栓は容器の口部外周の凹条に係止する突条を有する筒部を有し、かつ容器の内容品を注出する注出筒を具備し、この注出筒の内側にスコアを形成した内容品の通行を遮断する遮断壁が形成されているものであり、これに前記注出筒をカバーする外蓋が設けられている。そして上記のようなキャップは近年に至り容器のリサイクルの際に容易に外し得ることが要請されるようになり、そのような分別回収の容易なキャップが種々提案されている。
【０００３】
その一例を挙げると実開平７−８２５３号公報記載の注出栓が挙げられる。この注出栓は図１７に示すように構成され、栓本体１０１の周壁１０２に、該周壁１０２を破断させる薄肉の破断線１０３を形成して破断部１０４を設け、この破断部１０４に前記周壁１０２の外側に外方に突出するつまみ片１０５を設けたものである。
【０００４】
そして図示しない容器の回収の場合前記つまみ片１０５を摘み、これを引っ張って破断線１０３を破断させ、それにより容器に対する圧接を緩めて容器から外すようになっている。
なお図中１０６は注出筒、１０７は遮断壁、１０８はプルリングを示す。外蓋は図示省略されている。
【０００５】
【発明が解決しようとする課題】
しかし、上記従来の注出栓は次のような難点を有している。
（１）前記つまみ片１０５が前記周壁１０２の外方に突出して設けられているので、消費者が最初の開放の際に誤ってこのつまみ片１０５を摘んで破断線１０３を破断させてしまう場合がある。
（２）容器に打栓の際に、図示しない整列機上を打栓装置に向い整列させて進行させるが、この場合注出栓相互のつまみ片１０５が干渉し合って整列、進行が妨げられ、円滑に整列進行ができない現象が生じる。
（３）つまみ片１０５相互の干渉を恐れるあまり、該つまみ片１０５はできるだけ小さく形成する傾向がある。しかし、その様にすると、該つまみ片１０５を摘んで引っ張る場合に摘みにくく、かつ、つまみ片１０５の面積が小さいため引っ張りの力を加えにくいのである。
【０００６】
この発明は、上記の状況を改良するためになされたもので、その目的は前記従来例の注出栓のように、消費者が最初の開放の際に誤って容器回収用の破断線を破断させてしまうことのない分別回収の容易なキャップを提供することである。
他の目的は、打栓の際に整列機上で外方に突出するつまみ片によって互に干渉する恐れが全くなく、整列機上で円滑に整列、進行させることのできる分別回収の容易なキャップを提供することである。
更に他の目的は、容器回収用の破断線を破断させる場合に、摘み易く、かつ引っ張りの力を加えやすい把持部を有する分別回収の容易なキャップを提供することである。
【０００７】
【課題を解決するための手段】
この発明は、合成樹脂により形成され、容器の口部外周の凹条に係止する突条を有する筒部及び前記容器の内容品を注出する前記筒部より小径の注出筒を有し、
該注出筒の内側に前記内容品の流通を遮断する遮断壁を有し、かつ該遮断壁にスコアが形成され、該スコアの内側上部にプルリングが設けられている注出栓を有するキャップにおいて、
前記筒部の縦方向に筒部の上端部に続く該筒部の上壁に達する二条の弱化線を形成して裂き取り部に形成し、該裂き取り部の上端部に脚部を立設し、該脚部に前記注出筒の外側に同心状に設けた把持部を一体に設けるとともに、前記筒部の上壁まで水平方向に延設した二条の弱化線を、把持部のつけ根の内側に対応する部分で連接し、更に前記注出筒及び把持部の両方を覆う外蓋を設けたことを特徴とする。
【０００８】
この発明は、合成樹脂により形成され、容器の口部外周の凹条に係止する突条を有する筒部の内側に注出筒を設け、該注出筒にプルリングの付いた遮断壁を設けたキャップにおいて；前記筒部に縦方向弱化線を設け、該縦方向弱化線を前記筒部の上端部の上壁まで延設し、該筒部の上壁に形成した周方向弱化線と連接した分離基端部に形成し、該筒部の分離基端部の上端に、前記注出筒の外側に同心状に配設された把持部の円弧状の脚部を連結し、また、前記縦弱化線と周方向弱化線が筒部の上壁に設けた窓部を介して連続していることを特徴とする。
【０００９】
【発明の実施の形態】
本発明者は、従来例の問題を解決するためには、把持部が筒部の側方に突出しないようにするとともに、摘みやすく、かつ、力が入りやすいようにする必要がある、と考え、種々実験研究を行った。  その結果、
筒部に縦方向弱化線を設け、前記筒部の上壁に、前記縦方向弱化線の上端に連続する周方向弱化線を設け、前記筒部の分離基端部の上端に、前記注出筒の外側に同心状に配設した把持部を連結すればよいことがわかった。
【００１０】
又、筒部の縦方向に二条の弱化線を形成して裂き取り部を構成し、該裂き取り部の上端部を、前記注出筒の外側に同心状に設けた把持部に一体に接続して形成しても、良いことがわかった。
【００１１】
【発明例】
本発明の実施例を図１、図２、図４及び図９（第１実施例）、図３（第２実施例）、図５〜図８（第３実施例）により説明する。
図１〜図４において１は合成樹脂、一例としてポリエチレンによって形成された注出栓であり、２はヒンジ３により一体に設けられた外蓋である。なお前記外蓋２はヒンジ３により注出栓１に設けられているが、これは一例であり、その他図示しない螺合その他により設けられていても差支えはない。
次に４は前記注出栓１の筒部であり、その内側に容器５の口部６外周に形成された凹条７に圧接して係止する突条８が形成されている。
【００１２】
９は前記口部６の内周に圧接する内筒であり、前記筒部４及び内筒９は、共に上壁１０により同心円状に連接させられている。１１は注出筒であり、前記筒部４より小径に形成されて前記上壁１０に設けられている。そして該注出筒１１の内側には容器５の図示しない内容液の通行を遮断する遮断壁１２が形成され、かつ該遮断壁１２には無端状のスコア１３が形成されている。該スコア１３は薄肉状に形成されている。１４は該スコア１３の内側に形成された破断部であり、１５はこの破断部１４の上に設けられたプルリングを示す。
【００１３】
次に１６は前記筒部４の内面に設けられた薄肉状の二条の弱化線であり、その両弱化線１６の間に裂き取り部１７が形成されている。そして該裂き取り部１７の上部には把持部１８が一体に設けられている。この把持部１８について述べると、前記裂き取り部１７の上端部１９に、脚部２０を有して図２に示すようにＴ字状に設けられ、かつ前記注出筒１１に沿って、同心状にかつ括弧状に形成されている。但し、上記把持部１８は上記の外に図３に示すように逆Ｌ字状に、即ち脚部２０に対し片側だけに延設し、括弧状に設けられていてもよい。又上記把持部１８は、図５、図６〜図８に示すように、脚部２０を介してリング状に設けられていてもよい。
この場合把持部１８は前記注出筒１１を囲んで形成され、その先端部２１が破断し易いブリッジ２２により上壁１０に一体に設けられている。
又、前記二条の弱化線１６は図９に示すように筒部４の上端部から上壁１０に達し、水平方向に延設して把持部１８のつけ根部の内側に対応する部分で連接されている。このように構成されたことにより、前記把持部１８を外方に押し倒すことによりそのつけ根部の内側に対応する部分の弱化線を容易に破断できるようになっている。
【００１４】
次に前記外蓋２は図１に示すように、注出栓１を閉止する場合前記注出筒１１及び前記把持部１８の両方を覆うように構成されている。
図１において２３は中足であり、図示のように外蓋２閉止の際に注出筒１１の内側に密接して、ここを密閉するようになっている。又前記筒部１の上部は段差部２４を有し、この段差部２４が外蓋２の蓋筒部２５を受けている。
又前記のリング状に形成された把持部１８は、前記切り取り部１７の反対側になる先端部２１を、図７に示すように上方に屈曲させて摘み２６を形成した。これによりこの把持部１８を一層摘み易くすることができる。
【００１５】
この発明のキャップは前記のように構成され、容器５の口部６に打栓されて用いられる。消費者等は開放の際外蓋２を外してプルリング１５を引っ張り、遮断壁１２を、スコア１３から破断し、そこに通口を形成して使用する。
容器５内の液体商品等を消費し、この容器５を回収する場合は把持部１８を摘み、これを図４に示すように注出筒１１の反対側に曲げ、又図５に示すキャップにあってはブリッジ２２を破断し、リング状の把持部１８を図８に示すように反転させて掴み、これを外方に引っ張って弱化線１６を裂き切り、これによってこのキャップの前記口部６に対する嵌合の圧接を緩め、前記口部６から外し取るのである。前記把持部１８は注出筒１１を囲んで括弧状に形成されたことにより外蓋２の内側に収容することができ、消費者が最初の開放の際に誤ってこれを引っ張ってしまう恐れがない。かつ又把持部１８は従来よりも大きく形成でき、従って弱化線１６の裂き切りの力をかけ易いのである。
【００１６】
この発明の第４実施例を図１０〜図１４により説明する。この実施例と第１実施例との相違点は次の通りである
（１）弱化線が縦方向弱化線３６と、該縦方向弱化線３６の上端に連続する周方向弱化線３７と、から構成されていること。
ここで、縦方向弱化線３６とは、筒部４の縦方向、即ち、中心軸方向に伸びる直線状の肉薄部を指称するが、該中心軸方向に対し多少傾斜している弱化線も含まれる。
【００１７】
又、周方向弱化線３７とは、筒部４の上壁１０に形成され、筒部４の外周に沿って形成された円弧状の肉薄部を指称するが、その長さ（中心角度）は必要に応じて適宜選択され、例えば、中心角度１８０度が選ばれる。
【００１８】
前記周方向弱化線３７と縦方向弱化線３６とは、窓部Ｓを介して連続しているが、この窓部Ｓの形状や長さ（中心角度）は必要に応じて適宜選択され、例えば、中心角度１５度が選ばれる。なお、窓部Ｓを省略し、両者を直接連続させても良いことは勿論である。
【００１９】
（２）把持部３０が、摘み片３１を有するリング状体であること。このリング状体３０は注出筒１１を包囲し、かつ、筒部４の内側に位置する。
該リング状体は、図１０、図１１に示すように、円弧状の脚部３３を介して分離基端部３４の上端に連結されている。この脚部３３の長さ（中心角度）は必要に応じて適宜選択されるが、例えば、窓部Ｓの長さに対応させ、中心角度１５度が選ばれる。この分離基端部３４は把持部３０を引っ張ったときに両弱化線３６、３７の切り離しが開始されて最初に容器５の口部６からの分離が始まる部分である。
【００２０】
摘み片３１は弧状に形成され、該脚部３３と反対側のリング状体３０に連結されている。摘み片３１はリング状体３０の側方及び上方に突出しているが、その突出量は必要に応じて適宜選択される。例えば、側方への突出量を零とし、上方への突出量を注出筒１１の先端近傍までとしても良い。
なお、摘み片３１とリング状体３０とは支持アーム３８を介して連結されているが、この支持アーム３８の下端面は、容易に切れるブリッジ３９により上壁１０に固定されている。このようにリング状体３０を固定しておけば、該リング状体３０は常に所定の形状を維持するので、筒部４に外蓋３２を着脱する時に邪魔となることがない。
【００２１】
（３）外蓋３２が容器５の口部６に螺着されていること。即ち、外蓋３２と筒部４とはヒンジ結合されておらず、両者４、３２は完全に分離できる。
【００２２】
この第４実施例の作動を説明する。
容器５のキャップ１が外蓋３２を被っている時には、図１４に示す様に、把持部３０及び摘み片３１は外蓋３２内に納まっている。
【００２３】
次に、分別回収の為にキャップ１を容器５の口部６から外す場合について説明する。摘み片３１を指で摘み上方に持ち上げると、ブリッジ３９が切れて脚部３３に力が加わる。
【００２４】
該摘み片３１を矢印Ａ１０方向に引っ張ると、分離基端部３４に力が加わり縦方向弱化線３６の上端部が切れ始める。この時、窓部Ｓは空間部なので前記弱化部３６の上端部に応力が集中し極めて切れ易い状態となる。
【００２５】
更に、同方向に摘み片３１を引っ張ると縦方向弱化線３６は下端まで切れるとともに、周方向弱化線３７も切れ始める。
この時、リング状体３０は脚部３３の両側に平行状となって伸びるので、摘み片３１と脚部３３との距離即ち腕の長さは筒部４の直径より長くなる。
そのため、摘み片３１が筒部４から離れるので、引っ張りやすくなると共に、脚部３３の両側に力が加わり、大きな力で分離基端部３４を引くことができる。そのため、該弱化線３６、３７の切り離しを円滑に行うことができる。
【００２６】
そして、周方向弱化線３７が全部切り離されると、筒部４の容器５の口部６に対する圧接力は完全に解除されるので、この摘み片３１を更に同方向に引くだけでキャップ１は容器５から外れる。
【００２７】
この発明の第５実施例を図１５、図１６により説明する。この実施例と第４実施例（図１０〜図１４）との相違点は、把持部がリング状体でない点である。
即ち、分離基端部３４の上端部に直接摘み片４１が直接立設されている。
この摘み片４１は断面台形状であり、その内表面４１ａには滑り止め手段、例えば、溝４２が設けられている。この溝４２は、周方向に形成され、かつ、垂直方向に間隔をおいて複数本形成されている。
【００２８】
この摘み片４１は筒部４の内側で、かつ、周方向弱化線３７に沿って形成され、その長さ（中心角度）は必要に応じて適宜選択されるが、例えば、その中心角度は窓部Ｓと対応して１５度に形成される。なお、この摘み片３１は、図２の様にＴ字状、又は、図３の様にＬ字状に形成しても良い。
【００２９】
この実施例では分別回収のためのキャップ１を容器５から外す場合には摘み片４１を矢印Ａ４１方向に引くと、最初に縦方向弱化線３６が切れ、その後周方向弱化線３７が切れ始める。
この摘み片４１には溝４２が設けてあるので、力を入れやすいと共に、窓部Ｓがあるので弱化線３６、３７が切れ始めるときに大きな力を与えることができる。そのため、円滑に弱化線３６、３７を切り離すことができる。
【００３０】
【発明の効果】
本発明は、次の様な顕著な効果を奏する。
（１）把持部は注出筒の外側に、同心状に設けたので、外蓋の内側に設けることができる。このため、消費者が最初の開放の場合に外蓋を開けると、遮断壁開放用のプルリングと容器の分別回収用の把持部の両方が出現するから、プルリングの方を用いて開放することが直ちに判断できる。従って前記従来例のキャップのように、最初の開放の際に誤っていきなり容器の分別回収用の摘みを引っ張ってしまう恐れをなくすことできる。
【００３１】
（２）把持部は、注出筒の外側に同心状に形成したことにより、注出筒の周の長さの範囲内で任意の大きさに形成することができるから、これを摘む場合に摘み易いように大きく形成することができる。かつ又それを摘む場合把持部を図４に示すように注出筒と反対の方向に反転させることにより、注出筒との間隔が開くから、一層摘み易く、かつ引っ張りの力をかけ易くすることができる。
（３）前記把持部は外蓋の内側に設けられているため、キャッピングの際の整列機上において、前記従来例の注出栓のようなつまみ片相互が干渉し合って整列機上の整列、進行が妨げられる恐れをなくすことができる。
【００３２】
（４）把持部は裂き取り部の上端部から両側に延設し、注出筒を囲んで括弧状に設けられたので、把持部を前記従来例の注出栓のつまみ片より遥かに大きく摘み易く形成でき、大きな力をかけ易くすることができる。  しかもこの把持部は注出筒の反対側に曲げ易く、そのようにすると図４に示すように把持部の両側が注出筒との間隔を大きくすることができるから、その把持部の両方に亘って掴むことができ、引っ張りの力をかけ易くすることができる。
【００３３】
（４）把持部は裂き取り部の上端部から片側に延設して、注出筒を囲んで括弧状に設けられたので、この把持部を注出筒と反対の方向に曲げることにより、注出筒との間隔をあけることができ、きわめて簡単な構造であるにもかかわらず、摘み易い比較的大きな把持部を摘むことができ、弱化線裂き切りに充分に力を与えることができる。
【００３４】
（５）把持部は、注出筒を囲んでリング状に形成されたので、このリング状の把持部を図８に示すように注出筒の周囲から外し、リング状の把持部を掴み外方に引っ張ることにより、弱化線を裂き切る。このため、把持部を確実に掴むことができ、従って前記弱化線を容易に裂き切ることができる。
【００３５】
（６）把持部は、裂き取り部の上端部に脚部を介して設けられたので、把持部は脚部により上方に突出して設けられていて、かつ把持部と注出栓との間に間隙をもたらすから把持部の摘みを容易にすることができると共に、把持部を外方に引っ張る場合に把持部が外方に傾くことを容易にするから、引っ張り易くすることができる。
【００３６】
（７）二条の弱化線はそれぞれ筒部の上端部から上壁に達し、水平方向に延設して把持部のつけ根部の内側に対応する部分において連接されたので、把持部を摘み外側に押し倒すようにすれば、同把持部は梃子における力点となり、把持部の下端部の外側の部分が支点となり、同下端部の内側が作用点となり、かつこの作用点の近くには前記のように二条の弱化線が連接されているため、この弱化線が容易に裂き切られ、かくして弱化線の裂き切りが開始される。
そして、前記把持部を外方に引っ張ることにより、筒体の弱化線は裂き切りの開始に連続して容易に裂き切られる。このように弱化線の裂き切りの開始を容易にすることができる。
【図面の簡単な説明】
【図１】この発明の第１実施例を示し、分別回収の容易なキャップの容器に装着した場合の断面図である。
【図２】図１に示す分別回収の容易なキャップの斜視図である。
【図３】この発明の第２実施例を示し、図２に相当する図である。
【図４】図２に示す分別回収の容易なキャップの、容器から外す場合の説明図である。
【図５】この発明の第３実施例を示し、図１に相当する図である。
【図６】図５に示すキャップの斜視図である。
【図７】図６に示すキャップの、図６と異なる角度から見た斜視図である。
【図８】図６に示すキャップの、容器から外す場合の作用を説明する図である。
【図９】図１に示すキャップの、部分の斜視図である。
【図１０】本発明第４実施例を示す平面図である。
【図１１】図１０のXI-XI線断面図である。
【図１２】図１０のXII-XII線断面図である。
【図１３】図１０のXIII-XIII線断面図である。
【図１４】外蓋を装着した状態を示す一部縦断面図である。
【図１５】本発明第５実施例を示す平面図である。
【図１６】図１５のXVI-XVI線断面図である。
【図１７】従来の同種キャップの、注出栓の斜視図である。
【符号の説明】
１        注出栓
２        外蓋
３        ヒンジ
４        筒部
５        容器
６        口部
７        凹条
８        突条
１０        上壁
１１        注出筒
１２        遮断壁
１３        スコア
１４        破断部
１５        プルリング
１６        弱化線
１７        裂き切り部
１８        把持部
１９        上端部
２０        脚部
３０        把持部
３１        摘み片
３４        分離基端部
３６        縦方向弱化線
３７        周方向弱化線
【図１】
0004341758.tif 000002
【図２】
0004341758.tif 000003
【図３】
0004341758.tif 000004
【図４】
0004341758.tif 000005
【図５】
0004341758.tif 000006
【図６】
0004341758.tif 000007
【図７】
0004341758.tif 000008
【図８】
0004341758.tif 000009
【図９】
0004341758.tif 000010
【図１０】
0004341758.tif 000011
【図１１】
0004341758.tif 000012
【図１２】
0004341758.tif 000013
【図１３】
0004341758.tif 000014
【図１４】
0004341758.tif 000015
【図１５】
0004341758.tif 000016
【図１６】
0004341758.tif 000017
【図１７】
0004341758.tif 000018